(57)【特許請求の範囲】
【請求項１】
前身頃及び後身頃の外面を形成する外装体と、前記前身頃から後身頃にわたるように前記外装体の内面に固定された内装体とを有し、
前記外装体における前身頃の両側部及び後身頃の両側部が接合されて、サイドシール部が形成されるとともに、ウエスト開口部、左右一対のレッグ開口部、股間部分、腹側部分及び背側部分が形成され、前記内装体が、前記股間部分を介して腹側部分及び背側部分に延びる吸収体を備えたパンツタイプ使い捨ておむつにおいて、
前記外装体の少なくとも前記腹側部分及び背側部分に、幅方向に沿う前後方向のタックが両側のサイドシール部まで形成され、
前記背側部分のタック及び前記腹側部分のタックのうち少なくとも一方における折り目近傍領域が低い剛性の領域とされ、前記折り目近傍領域を挟む前後領域が高い剛性の領域とされ、
前記高い剛性の領域の幅方向端部において、前後方向長さが、中央側より短い、
ことを特徴とする使い捨ておむつ。
【請求項２】
前記背側部分のタックと、前記腹側部分のタックとがそれぞれ複数形成されている請求項１記載の使い捨ておむつ。
【請求項３】
前記背側部分のタックの前後方向伸長量より、前記腹側部分のタックの前後方向伸長量が小さい請求項１又は２記載の使い捨ておむつ。
【請求項４】
前記高い剛性の領域は、両側の前記サイドシール部に重なる位置まで延びている、請求項１記載の使い捨ておむつ。
【請求項５】
前記背側部分のタック及び前記腹側部分のタックのうち少なくとも一方における折り目に沿って糸ゴムが設けられている請求項１記載の使い捨ておむつ。
【請求項６】
前記背側部分のタック及び前記腹側部分のタックのうち少なくとも一方における折り目が、外面側からの視で山折りであり、この山折り折り目を境とする、
前記外面側に対して反対の内面側相互の繋がりを高める連繋手段が設けられている請求項１記載の使い捨ておむつ。
【発明の詳細な説明】
【技術分野】
【０００１】
本発明は、着用者の動きへの追従性を改良した使い捨ておむつに関する。
【背景技術】
【０００２】
例えば、パンツタイプ使い捨ておむつは、装着者の腹側から股間を通り背側まで延在する外装体と、この外装体に設けられた、吸収体を含む内装体とを備え、外装体の腹側の両側縁部と外装体の背側の両側縁部とが接合されることにより、ウエスト開口部及び左右一対の脚開口部が形成されているものであり、必要により、内装体の表面両側部に身体側に突出する立体ギャザーが形成されるものが一般的となっている。
【０００３】
また、パンツタイプ使い捨ておむつにおいては、身体へのフィット性を向上させるために、外装体に、ウエスト部弾性部材、ウエスト下方部弾性部材及び湾曲弾性部材等、種々の弾性部材を伸長状態で固定することが行われている。
【０００４】
しかるに、この種の弾性部材は身体へのフィット性を向上させる点で有効であるが、着用者の姿勢が、たとえば円背の者が着用した場合や前傾姿勢を取った場合、背側の丈が不足し背中が過度に露出することを課題として、特許文献１では、背側部分に、幅方向に沿う前後方向のタックを形成することを提案している。
【先行技術文献】
【特許文献】
【０００５】
【特許文献１】特開２０１２−２３９５５５号公報
【発明の概要】
【発明が解決しようとする課題】
【０００６】
特許文献１の発明では、背側のみに注目しており、腹側についての考慮がなされていない。
【０００７】
しかし、円背の者が着用した場合や前傾姿勢を取った場合、腹側においては丈が余ってしまい、皺がよりがちとなる、あるいは膨らむことがあり、着用性についての改善が必要である。また、姿勢の変化による追従性が高いものではない。
【０００８】
そこで本発明の主たる課題は、着用性が改善された、並びに姿勢の変化による追従性が高まる使い捨ておむつを提供することにある。
【課題を解決するための手段】
【０００９】
上記課題を解決した本発明によれば、股間部分、腹側部分及び背側部分が形成され、前記股間部分を介して腹側部分及び背側部分に延びる吸収体を備えた使い捨ておむつにおいて、少なくとも前記腹側部分及び背側部分に、幅方向に沿う前後方向のタックが形成されている、使い捨ておむつが提供される。
【００１０】
かかる使い捨ておむつにおいては、少なくとも前記腹側部分及び背側部分に、幅方向に沿う前後方向のタックが形成されているので、腹側における着用性が改善され、並びに姿勢の変化による腹側における追従性が高まる。
【００１１】
背側部分のタックと、腹側部分のタックとが、それぞれ複数形成されていると、単数の場合より、伸長追従性が高まるとともに、必要な伸長量に対して単位タックが（前後方向で）短くなり、外観的にスッキリしたものとなる。
【００１２】
必要な伸長の程度しては、背側部分においては大きく、腹側部分においては小さくて足りることが知見された。したがって、背側部分のタックの前後方向伸長量より、腹側部分のタックの前後方向伸長量が小さくすることが望ましい。
この場合、伸長量の調整は、タックの前後方向長さを調整するほか、タックの数を調整することにより行うことができる。すなわち、腹側部分の単位タック代を、背側部分の単位タック代より小さくできる。
【００１３】
前記背側部分のタック及び前記腹側部分のタックのうち少なくとも一方における折り目近傍領域が低い剛性で、前記折り目近傍領域を挟む前後領域が高い剛性である形態も提案される。
かかる形態であると、折り目近傍領域では低い剛性であるので容易に折れ曲がり、折り目近傍領域を挟む前後領域が高い剛性であるので、折れ曲がり難くなり、その結果、折り目において適確に曲がり、不要な個所での折れ曲がりによる凹凸の発生がない。
【００１４】
前記高い剛性の領域の幅方向端部において、前記前後方向長さを、中央側より短くすることができる。
パンツタイプ使い捨ておむつでは、前述のように、外装体の腹側の側縁部と外装体の背側の側縁部とが接合されるので、側縁部近傍では、剛性が大きく、また、製品の両側部においては、姿勢変化による（前後方向の）拡縮量が少なく、幅方向中央側で大きい。
そこで、前記高い剛性の領域の幅方向端部において、前後方向長さを、中央側より短くすることにより、製品の両側部において過度の剛性の高まり及びこれに伴う着用性の低下を防止できる。
【００１５】
前記背側部分のタック及び前記腹側部分のタックのうち少なくとも一方における折り目に沿って糸ゴムが設けられている請求項１記載の使い捨ておむつ。
折り目に沿った糸ゴムの存在よって、折り目を形成し易い。
【００１６】
股間部分、腹側部分及び背側部分が形成され、前記股間部分を介して腹側部分及び背側部分に延びる吸収体を備えた使い捨ておむつにおいて、前記使い捨ておむつは、外装シートを備えており、前記外装シートの少なくとも前記腹側部分及び背側部分に、幅方向に沿う前後方向のタックが形成されている形態を採用できる。
この形態は外装シートにタックを形成するものであるから、吸収体を含む厚目でやや剛性のある内装体にタックを形成する態様と比較して、タックの形成が容易である。
【００１７】
前記背側部分のタック及び前記腹側部分のタックのうち少なくとも一方における前記外装シートの折り目が、外面側からの視で山折りであり、この山折り折り目を境とする、前記外面側に対して反対の内面側相互の繋がりを高める連繋手段が設けられている形態を採ることができる。
この形態では、連繋手段によって折り目の崩れが生じ難いものとなる。
【発明の効果】
【００１８】
以上のとおり、本発明によれば、着用性が改善された、姿勢の変化による追従性が高まる等の利点がもたらされる。
【図面の簡単な説明】
【００１９】
【図１】展開状態のパンツタイプ使い捨ておむつの平面図（内面側）である。
【図２】図１の２−２線断面図である。
【図３】図１の３−３線断面図である。
【図４】図１の４−４線断面図である。
【図５】パンツタイプ使い捨ておむつの装着状態の斜視図である。
【図６】パンツタイプ使い捨ておむつの外装体の展開概要斜視図である。
【図７】タックの形成例の正面図である。
【図８】タックの他の形成例の正面図である。
【図９】タックのさらに別の形成例の説明用斜視図である。
【図１０】（ａ）〜（ｃ）は種々のタック形態の説明図である。
【発明を実施するための形態】
【００２０】
以下、本発明の一実施形態について、添付図面を参照しつつ詳説する。なお、図中の点模様（グレー表示）部分はホットメルト接着剤等の接合手段を示している。
【００２１】
まず、本発明に係るタックを形成しない図１〜図５に示すパンツタイプ使い捨ておむつ例を説明した後に、図５以降の図面を参照しながら本発明に係るタックの形成例について説明することとする。
【００２２】
＜使い捨ておむつの例示＞
図１〜図５に示すパンツタイプ使い捨ておむつ（以下、単におむつともいう。）は、前身頃Ｆ及び後身頃Ｂの外面を形成する外装体２０と、前身頃Ｆから後身頃Ｂにわたるように外装体２０の内面に固定された内装体１０とを有しており、内装体１０は液透過性表面シート１１と液不透過性裏面側シート１２との間に吸収体１３が介在されてなるものである。
【００２３】
製造に際して、外装体２０の内面（上面）に対して内装体１０の裏面がホットメルト接着剤などの接合手段によって接合された後に、内装体１０および外装体２０が前身頃Ｆ及び後身頃Ｂの境界である前後方向（縦方向）中央で折り畳まれ、その両側部が相互に熱溶着またはホットメルト接着剤などによって接合されてサイドシール部２１が形成されることによって、ウエスト開口部及び左右一対のレッグ開口部が形成されたパンツタイプ使い捨ておむつとなる。
【００２４】
（内装体の構造例）
内装体１０としては公知のものを採用できるが、その構造例は、図２〜図４に示すように、不織布などからなる液透過性表面シート１１と、ポリエチレン等からなる液不透過性裏面側シート１２との間に、吸収体１３を介在させた構造を有しており、表面シート１１を透過した排泄液を吸収保持するものである。内装体１０の全体的な平面形状は特に限定されないが、図示形態のように略長方形とすることができる。
【００２５】
吸収体１３の表面側（肌当接面側）を覆う液透過性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。液透過性表面シート１１に多数の透孔を形成した場合には、尿などが速やかに吸収されるようになり、ドライタッチ性に優れたものとなる。液透過性表面シート１１は、吸収体１３の側縁部を巻き込んで吸収体１３の裏面側まで延在している。
【００２６】
吸収体１３の裏面側（非肌当接面側）を覆う液不透過性裏面側シート１２は、ポリエチレンまたはポリプロピレンなどの液不透過性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートである。
【００２７】
吸収体１３としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができる。この吸収体１３は、形状及びポリマー保持等のため、必要に応じてクレープ紙等の、液透過性及び液保持性を有する包装シート１４によって包装することができる。
吸収体１３の全体形状は、股間部分に前後両側よりも幅の狭い括れ部分１３Ｎを有する略砂時計状に形成されているが、長方形状等、適宜の意形状とすることができる。
【００２８】
内装体１０の両側部には脚周りにフィットする立体ギャザーＢＳを形成することができる。この立体ギャザーＢＳは、図３及び図４に示されるように、内装体の裏面の側部に固定された固定部と、この固定部から内装体の側方を経て内装体の表面の側部まで延在する本体部と、本体部の前後端部が倒伏状態で内装体の表面の側部に固定されて形成された倒伏部分と、この倒伏部分間が非固定とされて形成された自由部分とが、折返しによって二重シートとしたギャザー不織布１５により形成されている。
【００２９】
また、二重シート間には、自由部分の先端部等に細長状ギャザー弾性部材１６が配設されている。ギャザー弾性部材１６は、製品状態において図３に二点鎖線で示すように、弾性伸縮力により吸収体側縁部より突出する不織布部分を起立させて立体ギャザーＢＳを形成するためのものである。
【００３０】
液不透過性裏面側シート１２は、二重シート状のギャザー不織布１５の内部まで進入し、図３に示されるように、立体ギャザーＢＳの下端側において防漏壁を構成するようになっている。この液不透過性裏面側シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００３１】
ギャザー弾性部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。ギャザー弾性部材１６としては、図示形態のような糸状の他、ある程度の幅を有するテープ状のものを用いることもできる。
【００３２】
前述のギャザー不織布１５を構成する素材繊維も液透過性表面シート１１と同様に、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらにギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００３３】
（外装体の構造例）
外装体２０は、図２〜図４にも示されるように、それぞれ不織布等からなる押えシート２０Ａ及びバックシート２０Ｂからなる２層構造とされ、押えシート２０Ａとバックシート２０Ｂとの間、及びバックシート２０Ｂをウエスト開口縁で内面側に折り返してなる折り返し部分２０Ｃの不織布間に各種弾性部材が配設され、伸縮性が付与されている。平面形状は、中間両側部にそれぞれレッグ開口部を形成するために形成された凹状の脚周りライン２９により、全体として擬似砂時計形状をなしている。コスト削減及び股間部の通気性向上のために、押えシート２０Ａ及びバックシート２０Ｂを前後に二分割し、両者が股間部で離間するように配置した構造とするか、もしくは、押えシート２０Ａ及びバックシート２０Ｂのいずれか一方を前後に二分割して、分割したシートが股間部で離間するように配置し、股間部のシートが１枚の構造としてもよい。
【００３４】
図示形態の外装体２０においては、弾性部材として、図１に示される展開形状において、ウエスト開口部近傍２３に配置されたウエスト部弾性部材２４と、前身頃Ｆ及び後身頃Ｂに、縦方向に間隔をおいて幅方向に沿って配置された複数のウエスト下方部弾性部材２５とを有するとともに、前身頃Ｆ及び後身頃Ｂのそれぞれにおいて、ウエスト下方部弾性部材群２５とは別に、一方のサイドシール部２１から一方のレッグ開口部に沿って股間部分に向かい、股間部分を横断し、かつ他方のレッグ開口部に沿って他方のサイドシール部２１に至るパターンで湾曲しつつ延在する、互いに交差することなく間隔をおいて配置された複数本の湾曲弾性部材２６，２８を備えている。これら、弾性部材２４〜２８は、それぞれその延在方向に沿って所定の伸長率で伸長された状態で固定されている。なお、本外装体２０では、脚周りライン２９に沿って前身頃Ｆのサイドシール部から後身頃Ｂのサイドシール部まで連続する、いわゆる脚周り弾性部材は設けられていないが、設けても良い（図示略）。
【００３５】
ウエスト部弾性部材２４は、前身頃Ｆと後身頃Ｂとが接合されたサイドシール部２１の範囲の内、ウエスト開口縁近傍に縦方向に間隔をおいて配置された複数条の糸ゴム等の細長状弾性部材であり、身体の胴周りを締め付けるように伸縮力を与えることによりおむつを身体に装着するためのものである。このウエスト部弾性部材２４は、図示例では糸ゴムを用いたが、例えばテープ状の伸縮部材を用いてもよい。また、図示形態のウエスト部弾性部材２４は、ウエスト部におけるバックシート２０Ｂの折り返し部分２０Ｃの不織布間に挟持されているが、押えシート２０Ａとバックシート２０Ｂとの間に挟持しても良い。
【００３６】
ウエスト下方部弾性部材２５は、サイドシール部２１の内、概ね上部から下部までの範囲に亘り、縦方向に間隔をおいて配置された糸ゴム等の細長状弾性部材であり、前身頃Ｆ及び後身頃Ｂの腰周り部分に夫々幅方向の伸縮力を与え、おむつを身体に密着させるためのものである。なお、ウエスト部弾性部材２４とウエスト下方部弾性部材２５との境界は必ずしも明確でなくてよい。例えば、前身頃Ｆ及び後身頃Ｂに縦方向に間隔をおいて幅方向に配置された弾性部材の内、数は特定できなくても、上部側の何本かがウエスト部弾性部材として機能し、残りの弾性部材がウエスト下方部弾性部材として機能していればよい。
【００３７】
後身頃Ｂにおいて、ウエスト下方部弾性部材２５とは別に配設された背側湾曲弾性部材２６は、糸ゴム等の細長状弾性部材であり、所定の曲線に沿って配置されている。背側湾曲弾性部材２６は、一本であっても良いが複数本であるのが好ましく、図示例では４本の糸ゴム等の細長状弾性部材であり、これら背側湾曲弾性部材２６は互いに交差することなく、間隔をおいて配置されている。この背側湾曲弾性部材群２６は、所定の伸縮ゾーンを形成するように間隔を空けて、３本以上、好ましくは４本以上配置される。
【００３８】
外装体２０の前身頃Ｆにおいて、ウエスト下方部弾性部材群２５とは別に配設された腹側湾曲弾性部材２８は糸ゴム等の細長状弾性部材であり、所定の曲線に沿って配置されている。腹側湾曲弾性部材２８は、一本であっても良いが複数本であるのが好ましく、図示例では４本の糸状弾性部材であり、これら腹側湾曲弾性部材２８は、互いに交差することなく、間隔をおいて配置されている。この腹側湾曲弾性部材群２８も、所定の伸縮ゾーンを形成するよう間隔を空けて、３本以上、好ましくは４本以上配置される。
【００３９】
図示例とは異なり、湾曲弾性部材２６，２８を、前身頃Ｆ及び後身頃Ｂのいずれか一方にのみ設けるだけでも良い。また、湾曲弾性部材２６，２８を、前身頃Ｆ及び後身頃Ｂの両方に設ける場合、前身頃Ｆ側に配置された湾曲弾性部材２８の群の一部又は全部と、後身頃Ｂ側に配置された湾曲弾性部材２６の群の一部又は全部とが交差する形態（図示せず）も採用できるが、図示例のように、前身頃Ｆ側に配置された湾曲弾性部材２８の群と、後身頃Ｂ側に配置された湾曲弾性部材２６の群とは互いに交差することなく前後方向中間部、特に前身頃Ｆに若干偏った位置で縦方向に離間している形態が好適である。
【００４０】
さらに、湾曲弾性部材２６，２８はその全体が湾曲していなくても良く、部分的に直線状の部分を有していても良い。
【００４１】
（前後押えシート）
図２に示されるように、外装体２０の内面上に取り付けられた内装体１０の前後端部をカバーし、且つ内装体１０の前後縁からの漏れを防ぐために、前後押えシート５０，６０が設けられている。図示形態について更に詳細に説明すると、前押えシート５０は、前身頃Ｆ内面のうちウエスト側端部の折り返し部分２０Ｃの内面から内装体１０の前端部と重なる位置まで幅方向全体にわたり延在しており、後押えシート６０は、後身頃Ｂ内面のうちウエスト側端部の折り返し部分２０Ｃの内面から内装体１０の後端部と重なる位置まで幅方向全体にわたり延在している。前後押えシート５０，６０の股下側縁部に幅方向の全体にわたり（中央部のみでも良い）若干の非接着部分を設けると、接着剤が食み出ないだけでなく、この部分を表面シートから若干浮かせて防漏壁として機能させることができる。
【００４２】
図示形態のように、前後押えシート５０，６０を別体として取り付けると、素材選択の自由度が高くなる利点があるものの、資材や製造工程が増加する等のデメリットもある。そのため、外装体２０をおむつ内面に折り返してなる折り返し部分２０Ｃを、内装体１０と重なる部分まで延在させて、前述の押えシート５０，６０と同等の部分を形成することもできる。
【００４３】
前述のように、パンツタイプ使い捨ておむつの外装体２０にフィット弾性部材２５，２６，２８を設ける場合、内装体１０と重なる領域の少なくとも幅方向中間部を細かく切断し、内装体１０の不必要な収縮を防止することが好ましい。
【００４４】
＜タックの形成形態＞
次に本発明に係るタックの形成例を図５以降の図面を参照しながら説明する。
また、図６以降の図面においては、弾性部材、吸収体などの構成部材の図示を省略してあることを予め断っておく。
【００４５】
さて、図１には前後を前身頃Ｆと後身頃Ｂとに区分したが、前後方向中間部を股間部分、それより前側を腹側部分、後側を背側部分と区分することもできる。また、前後のサイドシール部２１,２１間領域を股間部分と称することもできる。本発明においては、これらを正確に定義して区分し称することにさほど意味はない。
むしろ、後述するタックを形成する場合、外装体２０において容易に変形可能な領域に形成するのが望ましいので、吸収体１３の前後方向端縁よりウエスト開口縁までを「シート領域」と称呼するのが便宜的である。
したがって、図６以降の図面に示すタック形成例においては、外装体２０の「シート領域」にタックを形成するものと理解されたい。
また、折り目を単に折り目を付けるだけのものと、これを折り目をしっかり付けるものの両者を含む。したがって、本発明にいう「タック」は、プリーツを含む意味である。
【００４６】
本発明によれば、少なくとも腹側部分及び背側部分に、幅方向に沿う前後方向のタック３０Ｆ,３０Ｂが形成されている使い捨ておむつが提供される。
【００４７】
図５及び図６に示す例においては、外装体２０の、吸収体１３の前後方向端縁よりウエスト開口縁までの「シート領域」における適宜の位置に前タック３０Ｆ及び後タック３０Ｂを形成してある。
さらに、図６に示す例においては、タックの山折り目が前後方向中央に向かう形態で前タック３０Ｆ及び後タック３０Ｂが形成されている。
【００４８】
本発明においては、前身頃Ｆに前タック３０Ｆを、後身頃Ｂに後タック３０Ｂを形成してある。
【００４９】
前タック３０Ｆ又は後タック３０Ｂの形態としては、図１０に示すように、折り目をずらしながら重ねる形態（ａ）、外側（図１０の左方からみて内側）に折り目を対向させる形態（ｂ）、内側（図１０の左方からみて内側）に折り目を対向させる形態：女帯の「お太鼓」を外側に形成する形態（ｃ）などを、適宜組み合せて形成できる。
【００５０】
前タック３０Ｆ又は後タック３０Ｂは、身頃に一つでもよいが、単数の場合より、複数（その数に限定はない）のほうが、伸長追従性が高まるとともに、必要な伸長量に対して単位タックが（前後方向で）短くなり、外観的にスッキリしたものとなる。
【００５１】
必要な伸長の程度しては、背側部分においては大きく、腹側部分においては小さくて足りることが知見された。したがって、背側部分のタックの前後方向伸長量より、腹側部分のタックの前後方向伸長量が小さくすることが望ましい。
この場合、伸長量の調整は、タックの前後方向長さを調整するほか、タックの数を調整することにより行うことができる。すなわち、図６に示すように、前タック３０Ｆの単位タック代３０Ｌｆを、後タック３０の単位タック代Ｌｂより小さくできる。
【００５２】
図７に示すように、前タック３０Ｆ及び後タック３０Ｂのうち少なくとも一方における折り目Ｌの近傍領域が低い剛性Ｓｌで、折り目Ｌを挟む前後領域が高い剛性領域Ｓｈである形態も提案される。
かかる形態であると、折り目Ｌの近傍領域では低い剛性Ｓｌであるので容易に折れ曲がり、折り目Ｌを挟む前後領域が高い剛性領域Ｓｈであるので、折れ曲がり難くなり、その結果、折り目Ｌにおいて適確に曲がり、不要な個所での折れ曲がりによる凹凸の発生がない。
【００５３】
高い剛性領域Ｓｈは、たとえば外装体２０の形成シートに、不織布帯を重ねるほか、伸縮フィルムを重ねることで形成できる。
これによれば、折り目が崩れ、あるいは不規則な凹凸が形成されることがなく、折り目Ｌにおいて適確に曲がるようになる。
【００５４】
図８に示すように、高い剛性の領域Ｓｈの幅方向端部において、前後方向長さを、中央側より短くすることができる。
パンツタイプ使い捨ておむつでは、外装体の腹側の側縁部と外装体の背側の側縁部とが接合される（たとえばシール部２１として接合される）ので、側縁部近傍では、剛性が大きく、また、製品の両側部においては、姿勢変化による（前後方向の）拡縮量が少なく、幅方向中央側で大きい。
そこで、高い剛性の領域Ｓｈの幅方向端部において、前後方向長さを、中央側より短くすることにより、製品の両側部において過度の剛性の高まり及びこれに伴う着用性の低下を防止できる。
なお、図７及び図８の高い剛性の領域Ｓｈは、両側のシール部２１,２１に重なるほか、幅方向の長さが短くてもよい。後者の場合においても、幅方向中間部が前後方向に伸縮し、本発明の効果が失われない。
【００５５】
前タック３０Ｆ及び後タック３０Ｂのうち少なくとも一方における折り目Ｌ位置に（幅方向に）沿って糸ゴムを設けることができる。
折り目Ｌに沿った糸ゴムの存在よって、折り目を形成し易い。
この場合、図７及び図８に示す高い剛性の領域Ｓｈを形成しても、あるいは形成をしなくともよい。
【００５６】
本発明に係る使い捨ておむつは、外装シートを備えており、前記外装シートの少なくとも腹側部分及び背側部分に、幅方向に沿う前後方向のタックが形成されている形態であるのが好ましい。
この形態では外装シートに（好ましくは「シート領域」に）タックを形成するものであるから、吸収体１３を含む厚目でやや剛性のある内装体１０にタックを形成する態様と比較して、タックの形成が容易である。
しかしながら、外装体２０が内装体１０に重なる位置に、タックを形成することを排除するものではない（特に吸収体厚が薄く、易変形性を有する場合においてはタックを形成できる。）。
【００５７】
図９は他の例を示している。視認される面は内面であり、反対側に外面がある。この図９に示すように、前タック３０Ｆ及び後タック３０Ｂのうち少なくとも一方における外装シートの折り目Ｌが、外面側からの視で山折りであり、この山折り折り目Ｌを境とする、前記外面側に対して反対の内面Ｉ,Ｉ側相互の繋がりを高める連繋手段３１が設けられている形態を採ることができる。
連繋手段３１としては、外装シートの内面Ｉ,Ｉを重ねたとき、材質として、離れ難い性質を与えるもの使用できる。
この形態では、連繋手段３１によって折り目Ｌの崩れが生じ難いものとなる。
連繋手段３１の例としては、メカニカルファスナー（面ファスナー）のフック材（雄材）や粘着剤等のように、外装体の構成シートに固定可能なものを使用できる。粘着剤としては、不織布やシートに着脱しても粘着力が低下し難いものが好ましい。
連繋手段３１は、図９に示すように、各内面Ｉ,Ｉのほか、一方の内面Ｉのみに設けることもできる。
【００５８】
既述のように、種々のタックの例を示した。翻って、外装体２０として、押えシート２０Ａとバックシート２０Ｂとの本質的に二枚のシートを重ねたものにおいて、重ねた二枚のシートにタックを形成できるほか、本質的に一枚のシートにより外装体２０を形成する形態（図示せず）においては、その一枚のシートにタックを形成してもよい。
【産業上の利用可能性】
【００５９】
本発明は、上記例のようなパンツタイプ使い捨ておむつの他、パッドタイプ等の使い捨ておむつ等においても利用できるものである。
【符号の説明】
【００６０】
Ｂ…後身頃、Ｆ…前身頃、１０…内装体、１１…液透過性表面シート、１２…液不透過性裏面側シート、１３…吸収体、１４…包装シート、１５…ギャザー不織布、１６…ギャザー弾性部材、２０…外装体、２０Ｃ…折り返し部分、２１…サイドシール部、２４…ウエスト部弾性部材、２５…ウエスト下方部弾性部材、２６，２８…湾曲弾性部材、２６…背側湾曲弾性部材、２８…腹側湾曲弾性部材、２９…脚周りライン、３０…タック、３０Ｂ…後タック、３０Ｆ…前タック。
【図１】
0006504599.tif 000002
【図２】
0006504599.tif 000003
【図３】
0006504599.tif 000004
【図４】
0006504599.tif 000005
【図５】
0006504599.tif 000006
【図６】
0006504599.tif 000007
【図７】
0006504599.tif 000008
【図８】
0006504599.tif 000009
【図９】
0006504599.tif 000010
【図１０】
0006504599.tif 000011